(57)【特許請求の範囲】
【請求項１】
幾重にも巻かれた柔軟性のある音波及び振動を減衰するシートと、前記シートを巻かれた状態に固定するための固定部材と、から構成されるパイプ型円筒形エンクロージャーと、
前記エンクロージャーの一端の開口部に、当該開口部を封鎖して外向きに設置されたスピーカーユニットと、
を備えることを特徴とするスピーカー装置。
【請求項２】
前記固定部材は、ゴムバンド、ベルト、紐、面ファスナー、粘着テープ等の容易に解体可能な部材であることを特徴とする請求項１記載のスピーカー装置。
【請求項３】
前記シートは、絨毯、スポンジシート、樹脂マット、発砲ゴムシートであることを特徴とする請求項１又は２記載のスピーカー装置。
【発明の詳細な説明】
【技術分野】
【０００１】
この発明は、音質に優れ、しかもエンクロージャーの材質及び構造に特徴を有するスピーカー装置に関する。 
【背景技術】
【０００２】
図４、図５にあるような従来の箱形あるいは、円筒形スピーカー装置のエンクロージャー１は、金属や木材、合成樹脂等の硬い材質でできたものがほとんどである。振動板９の後面から放射される音波及び振動はエンクロージャー１が硬い材質であるために、板振動あるいは共振を起こしやすい。それが雑音波の発生となって高忠実度再生を阻害していた。
【０００３】
そこで、エンクロージャー１の重量を重くして振動を起こりにくくした。さらに、エンクロージャー１以外のスピーカー装置内部にも錘を取り付ける等、益々スピーカー装置全体の重量は重たくなる。またさらに、スピーカー装置は振動による雑音波発生を防ぐため、それぞれの部品同士は強固に固定されていて解体が難しく、スピーカーユニットのサイズ変更が容易ではない。
【特許文献１】特開２００１−２２４０８９号公報（第１３頁、図１）
【発明の開示】
【発明が解決しようとする課題】
【０００４】
しかしながら、以上の技術によれば、エンクロージャー材質が硬いため、振動板の後面から放射される音波及び振動は共鳴や板振動を起こしてしまう。それを防ぐためにエンクロージャーを重くして振動しにくくしているが、それがスピーカー装置全体の重量を重くして移動を困難にしている。それに部品の多さと、スピーカーユニットとエンクロージャーの間に緩衝部材１２を設ける等、複雑な仕組みによる生産の難しさがある。
【０００５】
さらに完成後はスピーカーユニットを別のサイズに入れ替えることが困難である。また、エンクロージャーが硬い材質で重量もあるために、転倒によりスピーカー装置が傷つきやすい。その上、スピーカー装置周辺にあるものに倒れかかり、それを破損したり、人に怪我をさせる恐れがある。またさらに、スピーカー装置は振動による雑音波発生を防ぐため、それぞれの部品同士は強固に固定されていて解体しにくい。
【０００６】
そこで、この発明は、部品が少なく、制作が容易であって、さらに、共振や板振動を押さえて音質が優れたスピーカー装置を提供することを課題とする。また、この発明は、容易に解体が可能なスピーカー装置を提供することを課題とする。
【課題を解決するための手段】
【０００７】
以上の課題を解決するために、第一発明に係るスピーカー装置は、幾重にも巻かれた柔軟性のある音波及び振動を減衰するシートと、前記シートを巻かれた状態に固定するための固定部材と、から構成されるパイプ型円筒形エンクロージャーと、前記エンクロージャーの一端の開口部に、当該開口部を封鎖して外向きに設置されたスピーカーユニットと、
を備えることを特徴とする。
【０００８】
また、第二発明に係るスピーカー装置は、さらに、前記固定部材は、ゴムバンド、ベルト、紐、面ファスナー、粘着テープ等の容易に解体可能な部材であることを特徴とする。
【０００９】
さらに、第三発明に係るスピーカー装置は、前記シートは、絨毯、スポンジシート、樹脂マット、発砲ゴムシートであることを特徴とする。
【発明の効果】
【００１０】
第一発明によれば、エンクロージャーのほとんどの部分が、音波及び振動を減衰するシートである為、振動板の後面から放射される音波及び振動がエンクロージャーを振動させ、あるいは共振し、そこから雑音波を発生することが、実質的になく、高忠実度再生になる。
【００１１】
第一発明によれば、スピーカーユニットのフレームの振動をエンクロージャーが吸収し、フレーム及びエンクロージャーから雑音波が発生することを押さえているので、高忠実度再生になる。
【００１２】
第二発明によれば、エンクロージャーの主な材質である音波及び振動を減衰するシートはスピーカー装置の完成後も、シートを円筒形に巻く前の状態に戻すことができ、持ち運びが容易である。
【００１３】
第二発明によれば、スピーカー装置完成後も音波及び振動を減衰するシートを円筒形に巻く前の状態に戻すことができ、スピーカーユニットを別のサイズへ入れ替えても、容易にそのサイズに合うようエンクロージャーのサイズ変更を行うことができる。
【００１４】
第一発明によれば、エンクロージャーが柔軟性を持つことにより、転倒してもスピーカー装置は傷つきにくく、人に怪我をさせる恐れが少なくなる。その上、スピーカー装置周辺にあるものに倒れかかり、それを破損する恐れも少なくなる。
【発明を実施するための最良の形態】
【００１５】
以下、図面を参照して本発明に係る実施形態について説明する。図１の実施形態であるエンクロージャー１は、柔軟性があり、音波及び振動を減衰する性質をもつシート、この図１では絨毯を、幾重にも巻きパイプ型円筒形に形成し、ゴムバンドで固定し、起立させたものである。円筒の内径はスピーカーユニット２の、フランジ部分を除いた直径にほぼ等しい。
【００１６】
エンクロージャー１の空洞部７に円筒形をした吸音材３をスピーカーユニット２後面から開口部１１のところまで入れている。この吸音材３の直径はエンクロージャー内径のおおむね２分の１から５分の４とする。
【００１７】
エンクロージャー１の上端開口部には、フルレンジのスピーカーユニット２が外向きにはまり、フランジ８によってスピーカーユニット２を支えている。そのとき、上端開口部はスピーカーユニット及び、そのフランジ部によって、振動板の後面からの音波が漏れないよう封鎖されている。
【００１８】
エンクロージャー１は支持部材４の上に固定せず乗せられている。支持部材４はエンクロージャー１の脚の役割をし、開口部１１から放射される音波を封鎖しないようにしている。床となるグランド６には吸音シート５が敷かれている。
【００１９】
「実施形態の効果」
この実施形態によれば、エンクロージャー１のほとんどの部分が音波及び振動を減衰する性質をもつことにより、振動板９の後面から放射される音波及び振動、あるいは、フレーム１０の振動を効果的に減衰させ、エンクロージャー１からの雑音波の発生を実質的になくし、高忠実度再生ができるのである。
【００２０】
エンクロージャー１の空洞部７には、吸音材３を入れていることにより、管の長さによって決まる特定の周波数での音の共振が起こらないようにできている。
【００２１】
振動板９の後面から放射される音波は、管の下端開口部へ向かいながらエンクロージャー１の内側側面及び、吸音材３によって実質的に減衰され、リスナーには振動板９の前面から放射される高忠実度再生された音波が届く仕組みになっている。
【００２２】
エンクロージャー１は幾重にも巻かれた音波及び振動を減衰するシートであるので、側面からの音漏れを実質的になくすことができる。仮に側面からの音漏れがある場合には、前記シートをさらに幾重にも巻くことによって容易に解決ができる。
【００２３】
図４、図５に見られる従来のスピーカー装置では、エンクロージャー１に吸音シート５を貼り付けた形になっているが、この実施形態においては、エンクロージャー１が吸音の役割も持つ為に制作が楽で、部品の数を少なくなることができる。
【００２４】
床となるグランド６には吸音シート５が敷かれ、下端開口部からの音波及び振動を減衰することができる。
【００２５】
エンクロージャー１が金属や木材、合成樹脂等の硬く重い材質ではなく、音波及び振動を減衰するシート、例えば、絨毯、スポンジシート、樹脂マット、発砲ゴムシートであるので軽く、スピーカー装置の全体重量は、前記の重い材質を使ったスピーカー装置より軽くすることができ、移動や持ち運びがしやすくなる。
【００２６】
エンクロージャー１の組み立て方法は接着剤や釘を用いず、エンクロージャー１の内径をスピーカーユニット２の、フランジ部分を除いた直径サイズに合わせて、シートを巻き、ゴムバンドで固定する為、組み立て時間が従来より短く、解体時間も短くなる。
【００２７】
さらに、完成後、スピーカーユニット２の直径を大きいものに交換したり、小さいものに交換したりすることが、前記方法により容易におこなえる。
【００２８】
エンクロージャー１が柔軟性を持ち、軽いことにより、転倒してもスピーカー装置は傷つきにくく、人に怪我をさせる恐れが少なくなる。その上、スピーカー装置周辺にあるものに倒れかかり、それを破損する恐れも少なくなる。
【００２９】
「他の実施形態」
図１の実施形態では、スピーカーユニット２のフランジ８が上端開口部を塞ぐのに充分な大きさであっため、何も加工を施していなかったが、フランジ８がほとんど無いスピーカーユニット２やフランジ８が小さく安定性に欠ける場合、あるいはデザイン上の都合等により、フランジを取り付けたり、拡張しても良い。
【００３０】
エンクロージャー１は音波及び振動を減衰するシートであるが、完成後に解体する必要も、スピーカーユニットを交換する必要もなく、あるいは、デザイン上の都合により、接着剤等を用いて固定しても良い。
【００３１】
吸音材３は円筒形に限るものではなく、開口部１１へ向かう音波を塞ぐことがなければ良い。
【００３２】
エンクロージャー１の円筒形に巻いたシートを固定する為、ゴムバンドを使用しているが、円筒形の形が崩れないためにしているためで、ベルト、紐、マジックテープ（登録商標、面ファスナー）、粘着テープ等、エンクロージャー１を固定できる方法ならば、どのような方法でもよい。
【００３３】
エンクロージャー１と支持部材４は解体のしやすさの為、固定していないが、安定性の確保や解体する必要のない場合、あるいはデザイン上の都合により固定してもよいものとする。
【００３４】
エンクロージャー１の材質は図１の実施形態において絨毯であるが、樹脂マット、発砲ゴム、ポリマー環境樹脂（ＰＥＲ）、ポリ塩化ビニル（ＰＶＣ）、布、スポンジ、不繊布等でも良い。
【００３５】
エンクロージャー１が、何らかの理由で転倒する恐れのある場合には、丈夫な壁にフックを取り付け、そこに紐等を用いてエンクロージャー１に結びつけ転倒を防止したり、エンクロージャー１の周囲に何らかの固定物を設置して転倒を防止しても良い。
【００３６】
エンクロージャー下端部１１は開口し振動板９の後面から放射される音波を塞いではいないが、リスナーの音質的好みにより支持部材４を省き、下端部を封鎖しても良い。
【００３７】
スピーカーユニット２は図１、エンクロージャー１の上開口部にはめ込むだけで固定されていないが、接着剤や金具等によりエンクロージャー１に固定しても良い。
【００３８】
スピーカー装置は、設置環境の都合上、あるいは、デザイン上の都合により、横に寝かした状態で使用しても良い。
【００３９】
スピーカーユニット２は上向きに設置されている為、音波は３６０度に広がるが、ステージ演奏等で、３６０度全指向性を持たせる必要の無い場合、あるいは特定の方向へ音波を集中させたいとき、スピーカーユニットの上部に反射板を設け、前方へ音波を反射させても良い。
【図面の簡単な説明】
【００４０】
【図１】この発明の一実施形態を示す断面図である。
【図２】この発明の一実施形態を示す上面図である。
【図３】図１、図２、図４、図５で示されたスピーカーユニットの断面図である。
【図４】従来技術を示す箱形スピーカーボックスの断面図である。
【図５】従来技術を示す円筒形スピーカーボックスの断面図である。
【符号の説明】
【００４１】
１  エンクロージャー
２  スピーカーユニット
３  吸音材
４  支持部材
５  吸音シート
６  グランド
７  空洞部
８  フランジ
９  振動板
１０  フレーム
１１  開口部
１２  緩衝部材
１３  箱形スピーカーボックスのエンクロージャー
【要約】
【課題】従来技術のスピーカー装置はスピーカーユニット振動板の後面から放射される音波及び振動による雑音波発生を押さえるため、エンクロージャーの重量はかなり大きなものになっていたため、持ち運びが不便であった。しかも強固に部品同士を固められたスピーカー装置は組み立ても分解も、スピーカーユニットのサイズ変更も困難であった。
【解決手段】エンクロージャーのほとんどの部分を音波及び振動を減衰する性質をもつシートにし、軽量になった。しかもシートを巻いた円筒形構造により、組み立ても分解も、スピーカーユニットのサイズ変更も容易になる。
【選択図】図１【図１】
0004262291.tif 000002
【図２】
0004262291.tif 000003
【図３】
0004262291.tif 000004
【図４】
0004262291.tif 000005
【図５】
0004262291.tif 000006